(57)【要約】気管支吸引装置（１０）のための気管支気管アクセスバルブ（１３）。該バルブ（１３）は、所与の方向（Ｆ１）への、第一の部材（２０）に対する第二の部材（２１）の回転が、カテーテル（１６）の終端部分（１６ａ）を洗い流すために、バルブ（１３）を、コンジット（２３）がスリーブ（３５）と水圧的に連絡している構成から、該コンジット（２３）が、ダクト（３６）およびチャネル（３０）を介してフラッシュコンジット（２４）と連絡している構成に動かすことを特徴とする。
2009539415.tif 000002
【特許請求の範囲】
【請求項１】
気管支気管吸引装置（１０）のための気管支気管アクセスバルブ（１３）であって、
該気管支気管アクセスバルブ（１３）は、
第一の部材（２０）であって、患者への接続のための接続手段（３５）を備えている、第一の部材（２０）と、
第二の部材（２１）であって、カテーテル（１６）を該患者の体に挿入するための挿入手段（２３）と、該カテーテル（１６）の終端部分（１６ａ）を洗い流すためのフラッシュ手段（２４）とを備えている第二の部材と
を備え、
該気管支気管アクセスバルブ（１３）は、該アクセスバルブが閉じている構成においては、該フラッシュ手段（２４）と該挿入手段（２３）との間の連絡を提供するが、該挿入手段（２３）と該接続手段（３５）との間の連絡は提供しない選択的連絡手段（３６，３０）を特徴とし、該選択的連絡手段（３６，３０）を備えている、バルブ（１３）。
【請求項２】
前記連絡手段（３６，３０）は、ダクト（３６）を備えていることを特徴とする、請求項１に記載のバルブ（１３）。
【請求項３】
前記ダクト（３６）は、実質的に半円であることを特徴とする、請求項２に記載のバルブ（１３）。
【請求項４】
前記連絡手段（３６，３０）は、前記挿入手段（２３）の内壁に組み込まれているチャネル（３０）をさらに備えていることを特徴とする、請求項１〜請求項３のうちのいずれか１項に記載のバルブ（１３）。
【請求項５】
バルブが開いている構成において、前記挿入手段（２３）は、前記接続手段（３５）と相互に、かつ選択的に連絡するが、前記フラッシュ手段（２４）とは連絡しない、請求項１〜請求項４のうちのいずれか１項に記載のバルブ（１３）。
【請求項６】
前記チャネル（３０）の一端部が、前記ダクト（３６）において終結するとき、前記第一の部材（２０）の表面（２０ｃ）は、前記挿入手段（２３）を閉じることを特徴とする、請求項５に記載のバルブ（１３）。
【請求項７】
ストップデバイス（３３，３４）を備えていることを特徴とする、請求項５に記載のバルブ（１３）。
【請求項８】
シール（３８）が、前記第一の部材（２０）と前記第二の部材（２１）との間に差し込まれていることを特徴とする、請求項１〜請求項７のうちのいずれか１項に記載のバルブ（１３）。
【請求項９】
前記第一の部材（２０）は、前記シール（３８）を収納するための幾つかのダクト（３７）を備えていることを特徴とする、請求項８に記載のバルブ（１３）。
【請求項１０】
前記シール（３８）は、エラストマーから作成されることを特徴とする、請求項８に記載のバルブ（１３）。
【請求項１１】
換気回路に接続可能な気管支吸引装置（１０）であって、該気管支吸引装置（１０）は、
真空調節手段（１１）と、
カテーテルボディ（１２）であって、透明なスリーブ（１５）とカテーテル（１６）とを備えている、カテーテルボディ（１２）と、
患者の体への接続のための接続部材（１４）に機械的に接続される気管支気管アクセスバルブ（１３）と
を備え、
該気管支気管装置（１０）は、該気管支気管アクセスバルブ（１３）が、請求項１〜請求項１０のうちのいずれか１項に記載の気管支気管アクセスバルブ（１３）であることを特徴とする、装置（１０）。
【発明の詳細な説明】
【技術分野】
【０００１】
本発明は、気管支吸引装置のための気管支気管アクセスバルブに関する。
【背景技術】
【０００２】
公知のように、換気回路に接続可能な気管支吸引装置は、
−真空生成および調節デバイスと、
−透明なスリーブと、カテーテルとを備えている、カテーテルボディと、
−患者の体への接続のための接続部材に機械的に接続される気管支気管アクセスバルブと
を備えている。
【０００３】
気管支吸引装置は、環境による上記患者の汚染を防止するために、およびその逆、すなわち、患者による環境の汚染を防止するために、環境からの吸引カテーテルの完全な隔離を確実にしなければならない。
【０００４】
動作において、第一の吸引段階の後に、カテーテルの終端部分は、通常、その目的のために提供される経路を通って、滅菌された水または塩類溶液を注入することによって、洗い流される（ｆｌｕｓｈｅｄ）。
【０００５】
フラッシング動作は、患者にとっては、特に赤ん坊の場合には、有害である可能性がある。すなわち、オペレータは、フラッシュ流体吸引手段を作動させることなしに、フラッシュ流体を意図せずに注入し得、この場合において、フラッシュ流体は、患者の気管に直接流れ込み、結果として明らかな損傷を生じ、この損傷は特に赤ん坊の処置に深刻である。
【発明の開示】
【発明が解決しようとする課題】
【０００６】
従って、本発明の主たる目的は、所与の患者の安全条件において、カテーテルの終端を洗い流すことのみを可能にするように設計された（気管支吸引装置のための）気管支気管アクセスバルブを提供することである。
【０００７】
結果として、気管支気管アクセスバルブが開いた位置にある場合でさえも、フラッシュ流体が患者の気管に注入されることをもたらす可能性がある任意の不注意な動作が防止される。
【０００８】
従って、本発明の主たる目的は、上述の欠点を排除するように設計された気管支気管アクセスバルブを提供することであり、これは本質的に安全である。
【課題を解決するための手段】
【０００９】
本発明に従って、添付の特許請求の範囲に請求される気管支吸引装置のための気管支気管アクセスバルブが提供される。
【発明を実施するための最良の形態】
【００１０】
本発明の限定的でない実施形態が、添付の図面を参照し、例示として記載される。
【００１１】
図１の番号１０は、全体として、換気回路（図示されない）に接続可能な気管支吸引装置を示す。
【００１２】
装置１０は、カテーテルボディ１２に機械的に接続される真空制御バルブ１１を備えている。
【００１３】
装置１０はまた、装置１０の革新的な部分を表す気管支気管アクセスバルブ１３を備えている（以下を参照）。
【００１４】
接続部材１４は、装置１０を完結させる。
【００１５】
さらに具体的には、接続部材１４は、患者に対する接続のためのコンジット１４ａと、気管支気管アクセスバルブ１３への接続のためのコンジット１４ｂと、換気回路（図示されない）へ装置１０を接続するためのコンジット１４ｃとを備えている。
【００１６】
以下の記載において、本発明の明確な理解のために必要な詳細のみが、詳細に記載されるが、当業者は、本発明が本明細書において詳細に具体的に議論されない変形を包含することを認識する。
【００１７】
真空制御バルブ１１および接続部材１４が公知である。それゆえ、真空制御バルブ１１が、矢印１１ｂでマークされたカバー１１ａ（図１においては、閉じられた位置で示されている）を備えていると言えば十分である。必要に応じて、オペレータは、気管支の粘液を吸引するために、カバー１１ａに指の圧力を加え、カバー１１ａを回転させ、気管支の矢印１１ｂを真空源（図示されない）に設定する。矢印１１ｂをこの位置に設定しているときだけ、分泌物は吸引され得、矢印１１ｂを他の任意の位置に設定していると、吸引は防止される。
【００１８】
図２に詳細に示されるように、カテーテルボディ１２は、容易に変形可能で、引き裂きに強いプラスチック材料からなる透明なスリーブ１５であって、カテーテル１６を外部環境への汚染、および外部環境からの汚染から、保護する。公知の方法で、カテーテル１６は、気管／気管ろうチューブ（ｔｒａｃｈｅａｌ／ｔｒａｃｈｅｏｓｔｏｍｉｃ  ｔｕｂｅ）内部の吸引カテーテル１６（最小５Ｃｈサイズ）の挿入をユーザが監視するためのいくつかの深さマーク１７を備えている。
【００１９】
図２に示されるように、カテーテルボディ１２と気管支気管アクセスバルブ１３との間には、カテーテル１６をガイドするためのフィッティング１８と、透明なスリーブ１５をフィッティング１８に固定するためのブッシング１９とが挿入される。
【００２０】
上記のように、革新的な部分は、気管支気管アクセスバルブ１３によって規定され、該部分は、図２、図７および図８の分解図に詳細に示される。
【００２１】
気管支気管アクセスバルブ１３のコンポーネントパーツの全てが、透明なプラスチック材料からなる。
【００２２】
添付の図面を参照して、気管支気管アクセスバルブ１３は、実質的にディスク形状の第一の部材２０と、実質的にカップ形状の第二の部材２１とを備えている（図２、図７および図８）。
【００２３】
第二の部材２１は、同様に、カップ形状のメインボディ２２を備え、表面２２ａ（図４）から、カテーテル１６の経路のためのスルーコンジット２３が、表面２２ａから突き出る。スルーコンジット２３は、使用中、フィッティング１８に固定される（図１）。フラッシュコンジット２４も、表面２２ａから突き出る。コンジット２３、２４は、必須ではないが、メインボディ２２と共に一部品で形成されることが有利である。
【００２４】
図１、図２、図７および図８に示されるように、フラッシュチューブ２５は、コンジット２４内部に挿入され、タイ２７によって、フラッシュチューブ２５に接続されるキャップ２６を有する。
【００２５】
図７に詳細に示されるように、メインボディ２２は、１２０°離れて設置された３つの軽量化ホール２８を有し、軽量化ホール２８のそれぞれにおいて、それぞれのタブ２９が、メインボディ２２のエッジ２２ｂを都合よく切断することによって、形成される。
【００２６】
３つのタブ２９の機能は、以下に説明される。
【００２７】
図３、図４、図５および図６に示されるように、チャネル３０は、コンジット２３の内壁に組み込まれ、該チャネル３０は、コンジット２３の底において、点Ｐ１で始まり、点Ｐ２で終結する（図３、図４）。
【００２８】
チャネル３０の機能が、気管支気管アクセスバルブ１３の動作を扱うセクションにおいて、以下で説明される。
【００２９】
メインボディ２２の表面２２ｃは、位置決めピン３１を有し（図２）、位置決めピン３１は、第一の部材２０の中央に形成された位置決めホール３２の内部に適合する（図５および図６）。
【００３０】
エッジ２２ｂの内部表面はピン３３を有し、ピン３３は、使用中、以下に詳細に説明される理由のために、第一の部材２０のエッジ２０ａ上に形成されるガイドダクト３４（図５、図６、図７および図８）を係合する。
【００３１】
今のところ、ピン３３およびガイドダクト３４がストップデバイスを規定すると言えば十分である。
【００３２】
図２、図３、図４、図７および図８に示されるように、スルースリーブ３５は、第一の部材２０の表面２０ｂから突き出て、使用中は、接続部材１４のコンジット１４ｂに接続される。
【００３３】
位置決めホール３２とガイドダクト３４とに加えて、第一の部材２０の表面２０ｃ（図７および図８）はまた、実質的に半円のダクト３６も備えている。
【００３４】
表面２０ｃはまた、エラストマーシール３８を収納するためのいくつかのダクト３７を備えている。
【００３５】
シール３８は、スリーブ３５の口から水圧的に密閉なダクト３６を明らかに提供する。
【００３６】
すなわち、理解されるように、シール３８は、フラッシュ流体が、ダクト３６からスリーブ３５の口まで偶発的に流れることを防ぐ。
【００３７】
組み立ての間、第一の部材２０、第二の部材２１、シール３８（ダクト３７内部に挿入される）は、第二の部材２１上のタブ２９の変形能力を用いて一緒にしっかりと「パックされ」（図７および図８）、これは第一の部材２０のエッジ２０ａ上をグリップする。
【００３８】
言い換えると、組み立ての間、第二の部材２１のメインボディ２２は、エッジ２２ｂから形成されるタブ２９の変形能力を用いて第一の部材２０上で「クリック（ｃｌｉｃｋ）」し、それゆえプラスチック材料から作成される。
【００３９】
実際の使用中、第二の部材２１は、オペレータによって、第一の部材２０に対して（および位置決めピン３１に関して）、矢印Ｆ１によって示される方向に回転させられ、気管支気管アクセスバルブ１３を、図５に示される第一の構成から、図６に示される第二の構成まで動かし得る。
【００４０】
図５の第一の構成において、カテーテル１６が、スルーコンジット２３、スリーブ３５およびコンジット１４ｂを通って、患者の体の所望のエリアに適合し得るように、第二の部材２１と一体になったピン３３は、第一の部材２０のガイドダクト３４に沿って、限界位置Ａに設定され、コンジット２３は、スリーブ３５、コンジット１４ｂ、フィッティング１８、ブッシング１９と整列される。
【００４１】
図５の第一の構成において、フラッシュコンジット２４は、ダクト３６の内部の一端部において終結する。しかしながら、この構成においてダクト３６は、コンジット２３またはチャネル３０と水圧的に連絡しないので、オペレータによって、コンジット２４を通ってダクト３６内に意図されずに注入される場合でさえ、フラッシュ流体はまた、シール３８によって、コンジット２３またはチャネル３０に到達することを妨害される。
【００４２】
カテーテル１６の終端部分１６ａ（図２）を洗い流すために、オペレータは単にカテーテル１６を引き出して、スリーブ３５から終端部分１６ａを引き出し（図４）、ピン３３がガイドダクト３４に沿って限界位置Ｂ（図６）に設定され、チャネル３０の一方の端部がダクト３６上に位置するように、第二の部材２１を第一の部材２０に対して、矢印Ｆ１の方向に回転させる。フラッシュコンジット２４はまた、矢印Ｆ１の方向に回転されるが、その自由端は、依然、ダクト３６と接触したままである。
【００４３】
従って、このことは、図６の構成を生じ、該構成において、オペレータによってファラッシュコンジット２４に注入されたフラッシュ流体は、ダクト３６に沿ってチャネル３０に流れ込み（図４および図６の矢印Ｆ２）、点Ｐ２において、フラッドコンジット２３から流れ出、そしてカテーテル１６のフラッシュ終端部分１６ａに流れ出る。第二の部材２１が、第一の部材２０に対して矢印Ｆ１の方向に回転するとき、第一の部材２０の表面２０ｃ（図７および図８）は、コンジット２３の端部を閉じ、これにより、スリーブ３５およびコンジット１４ｂを通る、コンジット２３から患者へのフラッシュ流体の偶発的な逆流を防止することが指摘されるべきである。
【００４４】
一旦洗い流しが完了すると、フラッシュ流体は、公知の排出システムによって、コンジット２３から排出される。
【００４５】
一旦終端部分１６ａが洗い流しされると、オペレータは、単に第二の部材２１を第一の部材２０に対して矢印Ｆ１とは反対の方向に回転させ、次いでカテーテル１６をスリーブ３５およびコンジット１４ｂに押し戻して、患者の処置を継続する。
【００４６】
上述の記載から明らかになるように、本発明の主たる目的である気管支気管アクセスバルブの主な利点は、患者の最大限の安全性を保証する条件において、カテーテルの端部を洗い流すことのみが可能であるように設計されていることである。
【図面の簡単な説明】
【００４７】
【図１】図１は、気管支吸引装置の３次元組立の図を示す。
【図２】図２は、図１の気管支吸引装置の３次元組立の分解図を示す。
【図３】図３は、本発明の教示に従い、図１および図２の気管支吸引装置の一部を形成する気管支気管アクセスバルブの拡大された三次元の図を示す。
【図４】図４は、図３の気管支気管アクセスバルブの側面図を示す。
【図５】図５は、図３および図４の気管支気管アクセスバルブの第一の構成の平面図を示す。
【図６】図６は、図３および図４の気管支気管アクセスバルブの第二の構成の平面図を示す。
【図７】図７は、図５の気管支気管アクセスバルブの第一の構成の分解平面図を示す。
【図８】図８は、図６の気管支気管アクセスバルブの第二の構成の分解平面図を示す。
【図１】
2009539415.tif 000003
【図２】
2009539415.tif 000004
【図３】
2009539415.tif 000005
【図４】
2009539415.tif 000006
【図５】
2009539415.tif 000007
【図６】
2009539415.tif 000008
【図７】
2009539415.tif 000009
【図８】
2009539415.tif 000010
【国際調査報告】
2009539415.tif 000011
2009539415.tif 000012